(57)【要約】【課題】信号トラヒックの観点から効率的な携帯端末間の近接検出方法を提供する。【解決手段】検索者側装置３１０が、特定の位置検索対象の携帯端末に対する位置情報サービス要求に、他の全ての接近検知対象の携帯端末の情報を付与して送信する。交換機３０６が、特定の位置検索対象の携帯端末に加え、他の全ての接近検知対象の携帯端末の情報を取得すると、特定の位置検索対象の携帯端末に加え、他の全ての接近検知対象の携帯端末が在圏しているかどうかを判断する。全ての接近検知対象の携帯端末が在圏していれば、特定の位置検索対象の携帯端末に加え、他の全ての接近検知対象の携帯端末のそれぞれに対する位置決定要求を送信する。無線装置３０４が、位置決定要求を取得すると、複数の携帯端末と連携して位置測位を実施し、位置測位の結果を報告する。交換機３０６が、受信された位置測位の結果より全ての接近検知対象の携帯端末の位置情報を取得し、位置情報管理装置３０８を通じて検索者側装置３１０に応答する。【選択図】図２
2009218814.tif 000002
【特許請求の範囲】
【請求項１】
端末の検索装置と、位置情報管理装置と、交換機と、無線装置とを含む移動通信システムにおける端末の接近検知方法であって、
前記検索装置が、接近検知対象の端末の情報を保持し、特定の位置検索対象の端末の情報を含む位置情報サービス要求に、他の全ての接近検知対象の端末の情報を付与して送信するステップと、
前記位置情報管理装置が、前記特定の位置検索対象の端末に加え、他の全ての接近検知対象の端末の情報を取得すると、加入者の端末の位置情報を登録した加入者端末情報格納部から前記特定の位置検索対象の端末の位置情報を取り出し、取り出した前記位置情報に、他の全ての接近検知対象の端末の情報を付与して送信するステップと、
前記交換機が、前記位置情報を取得すると、在圏する端末の位置情報を登録した在圏端末情報格納部を検索して、前記特定の位置検索対象の端末に加え、他の全ての接近検知対象の端末が在圏しているかどうかを判断し、全ての接近検知対象の端末が在圏していれば、前記特定の位置検索対象の端末に加え、他の全ての接近検知対象の端末のそれぞれに対する位置決定要求を送信するステップと、
前記無線装置が、前記位置決定要求を取得すると、複数の端末と連携して位置測位を実施し、前記位置測位の結果を報告するステップと、
前記交換機が、受信された前記位置測位の結果より全ての接近検知対象の端末の位置情報を取得し、前記位置情報管理装置に応答するステップとを備えることを特徴とする移動通信システムにおける端末の接近検知方法。
【請求項２】
前記検索装置に応答するステップにおいて、前記交換機は、前記特定の位置検索対象の端末に加え、他の全ての接近検知対象の端末が在圏しているかどうかを検索した結果、少なくとも１つの端末が在圏していなければ、前記接近検知対象の端末が未接近であることを示す応答を送信することを特徴とする請求項１に記載の移動通信システムにおける端末の接近検知方法。
【請求項３】
接近検知対象の端末の情報を保持し、特定の位置検索対象の端末の情報を含む位置情報サービス要求に、他の全ての接近検知対象の端末の情報を付与して送信する端末の検索装置と、
加入者の端末の位置情報を登録した加入者端末情報格納部を有し、前記特定の位置検索対象の端末に加え、他の全ての接近検知対象の端末の情報を取得すると、前記加入者端末情報格納部から前記特定の位置検索対象の端末の位置情報を取り出し、取り出した前記位置情報に、他の全ての接近検知対象の端末の情報を付与して送信する位置情報管理装置と、
在圏する端末の位置情報を登録した在圏端末情報格納部を有し、前記位置情報を取得すると、前記在圏端末情報格納部を検索して、前記特定の位置検索対象の端末に加え、他の全ての接近検知対象の端末が在圏しているかどうかを判断し、全ての接近検知対象の端末が在圏していれば、前記特定の位置検索対象の端末に加え、他の全ての接近検知対象の端末のそれぞれに対する位置決定要求を送信する交換機と、
前記位置決定要求を取得すると、複数の端末と連携して位置測位を実施し、前記位置測位の結果を報告する無線装置と
を備え、前記交換機は、受信された前記位置測位の結果より全ての接近検知対象の端末の位置情報を取得し、前記位置情報管理装置に応答することを特徴とする移動通信システム。
【請求項４】
前記交換機は、前記特定の位置検索対象の端末に加え、他の全ての接近検知対象の端末が在圏しているかどうかを検索した結果、少なくとも１つの端末が在圏していなければ、前記接近検知対象の端末が未接近であることを示す応答を送信することを特徴とする請求項３に記載の移動通信システム。
【請求項５】
接近検知対象の端末の情報を保持し、保持された前記接近検知対象の端末の情報を送信する端末管理部と、
特定の位置検索対象の端末の情報を含む位置情報サービス要求に、前記端末管理部より取得された他の全ての接近検知対象の端末の情報を付与して位置情報管理装置へ送信し、前記位置情報管理装置から受信された応答から、位置検索対象の端末の位置情報に加え、他の全ての接近検知対象の端末の位置情報を取得し、前記端末管理部へ応答する送受部と
を備えたことを特徴とする端末の検索装置。
【請求項６】
加入者の端末の位置情報を登録した加入者端末情報格納部と、
位置情報サービス要求を受信すると、前記位置情報サービス要求に含まれた特定の位置検索対象の端末の情報、及び他の接近検知対象の端末の情報を送信する第１の送受部と、
前記第１の送受部から、前記特定の位置検索対象の端末に加え、他の全ての接近検知対象の端末の情報を取得すると、前記加入者端末情報格納部から前記特定の位置検索対象の端末の位置情報を取り出し、取り出した前記位置情報に、他の全ての接近検知対象の端末の情報を付与して交換機に送信し、前記交換機から受信された前記加入者位置情報から、前記特定の位置検索対象の端末に加え、他の全ての接近検知対象の端末の位置情報または未接近状態の情報を取得し、前記第１の送受部に応答する第２の送受部と
を備えたことを特徴とする位置情報管理装置。
【請求項７】
在圏する端末の位置情報を登録した在圏端末情報格納部と、
特定の位置検索対象の端末に加え、他の全ての接近検知対象の端末の情報が付与された情報を取得する第１の送受部と、
前記在圏端末情報格納部を検索して、前記第１の送受部により取得された前記特定の位置検索対象の端末に加え、他の全ての接近検知対象の端末が在圏しているかどうかを判断し、全ての接近検知対象の端末が在圏していれば、前記第１の送受部へ正常応答する在圏端末検索部と、
前記正常応答を受信した前記第１の送受部から、前記特定の位置検索対象の端末に加え、他の全ての接近検知対象の端末の情報を受信すると、前記特定の位置検索対象の端末に加え、他の全ての接近検知対象の端末のそれぞれに対する位置決定要求を無線装置に送信し、前記無線装置から全ての接近検知対象の端末の位置情報を取得し、前記第１の送受部に応答する第２の送受部と
を備えたことを特徴とする交換機。
【発明の詳細な説明】
【技術分野】
【０００１】
本発明は移動通信システム及びその接近検知方法、端末の検索装置、位置情報管理装置及び交換機に関し、より詳細には、複数の端末間の接近検出を行う移動通信システム及びその接近検知方法、端末の検索装置、位置情報管理装置及び交換機に関する。
【背景技術】
【０００２】
現在、モバイルネットワークにおいて、Ｗｅｂサイトから携帯端末を所有した特定の相手の位置情報を地図上で確認するサービスが多く実現されている。さらなる付加サービスとして、あらかじめ指定した携帯端末を所有するユーザが自己の近くにいることを自動的に検知する接近検知サービスに対する期待が高まっている。
【０００３】
モバイルネットワークにおいて、特定の携帯端末の位置情報を検索する方法は、３ＧＰＰ(３ｒｄ  Ｇｅｎｅｒａｔｉｏｎ  Ｐａｒｔｎｅｒｓｈｉｐ  Ｐｒｏｊｅｃｔ)及びＯＭＡ(Ｏｐｅｎ  Ｍｏｂｉｌｅ  Ａｌｌｉａｎｃｅ)によって３ＧＰＰ  ＴＳ２３．２７１にて標準化されている（非特許文献１参照）。
【０００４】
図１は、この標準化された位置情報の検索方法の流れを示すシーケンス図である。
【０００５】
検索者側装置から位置検索要求を行う場合（１０１）、当該検索者側装置は位置情報管理装置にＬＣＳ（ＬｏＣａｔｉｏｎＳｙｓｔｅｍ）  Ｓｅｒｖｉｃｅ  Ｒｅｑｕｅｓｔを送信する（１０２）。ＬＣＳ  Ｓｅｒｖｉｃｅ  Ｒｅｑｕｅｓｔを受信した位置情報管理装置は、交換機にＰｒｏｖｉｄｅ  Ｓｕｂｓｃｒｉｂｅｒ  Ｌｏｃａｔｉｏｎを送信する（１０３）。Ｐｒｏｖｉｄｅ  Ｓｕｂｓｃｒｉｂｅｒ  Ｌｏｃａｔｉｏｎを受信した交換機は、無線装置にＬｏｃａｔｉｏｎ  Ｒｅｑｕｅｓｔを送信する（１０４）。Ｌｏｃａｔｉｏｎ  Ｒｅｑｕｅｓｔを受信した無線装置は携帯端末の位置測位を実行し（１０５）、交換機にＬｏｃａｔｉｏｎ  Ｒｅｐｏｒｔを送信する（１０６）。Ｌｏｃａｔｉｏｎ  Ｒｅｐｏｒｔを受信した交換機は、位置情報管理装置にＰｒｏｖｉｄｅ  Ｓｕｂｓｃｒｉｂｅｒ  Ｌｏｃａｔｉｏｎ  ａｃｋを送信する（１０７）。Ｐｒｏｖｉｄｅ  Ｓｕｂｓｃｒｉｂｅｒ  Ｌｏｃａｔｉｏｎ  ａｃｋを受信した位置情報管理装置は、検索者側装置にＬＣＳ  Ｓｅｒｖｉｃｅ  Ｒｅｐｏｒｔを送信する（１０８）。検索者側装置は、受信したＬＣＳ  Ｓｅｒｖｉｃｅ  Ｒｅｐｏｒｔから検索結果を取得し（１０９）、携帯端末の接近状態を確認し（１１０）、接近を検出する（１１１）。
【０００６】
この方式に従い、複数の携帯端末間の接近を検出するには、接近検知対象の携帯端末全てに対して個別に、かつ定期的に上記の一連の方法を実施し、各端末の位置情報より接近状態を確認する必要がある。
【０００７】
【非特許文献１】3GPP TS23.271 V5.2.0 (2002-04), "LCS Architecture and General Network procedures"
【発明の開示】
【発明が解決しようとする課題】
【０００８】
しかしながら、上述した従来の接近検知方法は、検索対象の端末が接近したか否かに関わらず、モバイルネットワーク内で接近検知対象の携帯端末全てに対して個別に、かつ定期的に位置情報検索信号が送受される。このため、接近検知対象の携帯端末の数に比例してやり取りされる信号の数が増加してしまい、モバイルネットワークを構築する上では信号トラヒックの観点から大変非効率となるという問題があった。
【０００９】
本発明はこのような問題に鑑みてなされたものであり、その目的とするところは、信号トラヒックの観点からより効率的な（信号数の少ない）携帯端末間の接近検出方法を提供することにある。
【課題を解決するための手段】
【００１０】
このような目的を達成するため、本発明に係る移動通信システムにおける接近検知方法は、検索装置と、位置情報管理装置と、交換機と、無線装置とを含む移動通信システムにおける端末の接近検知方法であって、前記検索装置が、接近検知対象の端末の情報を保持し、特定の位置検索対象の端末の情報を含む位置情報サービス要求に、他の全ての接近検知対象の端末の情報を付与して送信するステップと、前記位置情報管理装置が、前記特定の位置検索対象の端末に加え、他の全ての接近検知対象の端末の情報を取得すると、加入者の端末の位置情報を登録した加入者端末情報格納部から前記特定の位置検索対象の端末の位置情報を取り出し、取り出した前記位置情報に、他の全ての接近検知対象の端末の情報を付与して送信するステップと、前記交換機が、前記位置情報を取得すると、在圏する端末の位置情報を登録した在圏端末情報格納部を検索して、前記特定の位置検索対象の端末に加え、他の全ての接近検知対象の端末が在圏しているかどうかを判断し、全ての接近検知対象の端末が在圏していれば、前記特定の位置検索対象の端末に加え、他の全ての接近検知対象の端末のそれぞれに対する位置決定要求を送信するステップと、前記無線装置が、前記位置決定要求を取得すると、複数の端末と連携して位置測位を実施し、前記位置測位の結果を報告するステップと、前記交換機が、受信された前記位置測位の結果より全ての接近検知対象の端末の位置情報を取得し、前記位置情報管理装置に応答するステップとを備える。
【００１１】
ここで、前記検索装置に応答するステップにおいて、前記交換機は、前記特定の位置検索対象の端末に加え、他の全ての接近検知対象の端末が在圏しているかどうかを検索した結果、少なくとも１つの端末が在圏していなければ、前記接近検知対象の端末が未接近であることを示す応答を送信するものとすることができる。
【００１２】
本発明の別の態様によれば、本発明に係る移動通信システムは、接近検知対象の端末の情報を保持し、特定の位置検索対象の端末の情報を含む位置情報サービス要求に、他の全ての接近検知対象の端末の情報を付与して送信する端末の検索装置と、加入者の端末の位置情報を登録した加入者端末情報格納部を有し、前記特定の位置検索対象の端末に加え、他の全ての接近検知対象の端末の情報を取得すると、前記加入者端末情報格納部から前記特定の位置検索対象の端末の位置情報を取り出し、取り出した前記位置情報に、他の全ての接近検知対象の端末の情報を付与して送信する位置情報管理装置と、在圏する端末の位置情報を登録した在圏端末情報格納部を有し、前記位置情報を取得すると、前記在圏端末情報格納部を検索して、前記特定の位置検索対象の端末に加え、他の全ての接近検知対象の端末が在圏しているかどうかを判断し、全ての接近検知対象の端末が在圏していれば、前記特定の位置検索対象の端末に加え、他の全ての接近検知対象の端末のそれぞれに対する位置決定要求を送信する交換機と、前記位置決定要求を取得すると、複数の端末と連携して位置測位を実施し、前記位置測位の結果を報告する無線装置とを備え、前記交換機は、受信された前記位置測位の結果より全ての接近検知対象の端末の位置情報を取得し、前記位置情報管理装置に応答する。
【００１３】
ここで、前記交換機は、前記特定の位置検索対象の端末に加え、他の全ての接近検知対象の端末が在圏しているかどうかを検索した結果、少なくとも１つの端末が在圏していなければ、前記接近検知対象の端末が未接近であることを示す応答を送信するものとすることができる。
【００１４】
本発明の別の態様によれば、本発明に係る端末の検索装置は、接近検知対象の端末の情報を保持し、保持された前記接近検知対象の端末の情報を送信する端末管理部と、特定の位置検索対象の端末の情報を含む位置情報サービス要求に、前記端末管理部より取得された他の全ての接近検知対象の端末の情報を付与して位置情報管理装置へ送信し、前記位置情報管理装置から受信された応答から、位置検索対象の端末の位置情報に加え、他の全ての接近検知対象の端末の位置情報を取得し、前記端末管理部へ応答する送受部とを備える。
【００１５】
本発明の別の態様によれば、本発明に係る位置情報管理装置は、加入者の端末の位置情報を登録した加入者端末情報格納部と、位置情報サービス要求を受信すると、前記位置情報サービス要求に含まれた特定の位置検索対象の端末の情報、及び他の接近検知対象の端末の情報を送信する第１の送受部と、前記第１の送受部から、前記特定の位置検索対象の端末に加え、他の全ての接近検知対象の端末の情報を取得すると、前記加入者端末情報格納部から前記特定の位置検索対象の端末の位置情報を取り出し、取り出した前記位置情報に、他の全ての接近検知対象の端末の情報を付与して交換機に送信し、前記交換機から受信された前記加入者位置情報から、前記特定の位置検索対象の端末に加え、他の全ての接近検知対象の端末の位置情報または未接近状態の情報を取得し、前記第１の送受部に応答する第２の送受部とを備える。
【００１６】
本発明の別の態様によれば、本発明に係る交換機は、在圏する端末の位置情報を登録した在圏端末情報格納部と、特定の位置検索対象の端末に加え、他の全ての接近検知対象の端末の情報が付与された情報を取得する第１の送受部と、前記在圏端末情報格納部を検索して、前記第１の送受部により取得された前記特定の位置検索対象の端末に加え、他の全ての接近検知対象の端末が在圏しているかどうかを判断し、全ての接近検知対象の端末が在圏していれば、前記第１の送受部へ正常応答する在圏端末検索部と、前記正常応答を受信した前記第１の送受部から、前記特定の位置検索対象の端末に加え、他の全ての接近検知対象の端末の情報を受信すると、前記特定の位置検索対象の端末に加え、他の全ての接近検知対象の端末のそれぞれに対する位置決定要求を無線装置に送信し、前記無線装置から全ての接近検知対象の端末の位置情報を取得し、前記第１の送受部に応答する第２の送受部とを備える。
【発明の効果】
【００１７】
本発明によれば、従来の３ＧＰＰ及びＯＭＡにて標準化された方式による複数の携帯端末間の接近検出方法に対して、位置検索信号の共有化、接近検知対象の端末の在圏状態の考慮を加える。これにより、接近検知を行う際に送受される信号を削減することが可能となる。
【００１８】
また、携帯端末が未接近と判断された場合は、送受される信号をさらに削減することが可能となる。
【発明を実施するための最良の形態】
【００１９】
以下、図面を参照し、本発明の最良の実施形態について説明する。
【００２０】
図２は、本実施形態に係る移動通信システムの構成例を示すブロック図である。
【００２１】
本実施形態に係る移動通信システムは、検索者側装置３１０が、位置情報管理装置３０８、交換機３０６、無線装置３０４、携帯端末３０２を含むモバイルネットワーク内に接続されて構成されている。
【００２２】
検索者側装置３１０は、接近検知対象端末管理部３３２と、位置情報サービス（ＬＣＳ  Ｓｅｒｖｉｃｅ）送受部３３０を含んでいる。
【００２３】
接近検知対象端末管理部３３２では、接近検知対象の端末の情報を保持し、接近検知対象の端末の情報を位置情報サービス送受部３３０へ送信し、位置情報サービス送受部３３０からの応答より、接近の有無を検知する。
【００２４】
位置情報サービス送受部３３０では、接近検知対象端末管理部３３２から受信した接近検知対象の端末の情報に応じて、特定の位置検索対象の携帯端末の情報を含む位置情報サービス要求（ＬＣＳ  Ｓｅｒｖｉｃｅ  Ｒｅｑｕｅｓｔ）に、他の全ての接近検知対象の端末の情報を追加付与して送信する。また、受信された位置情報サービス応答（ＬＣＳ  Ｓｅｒｖｉｃｅ  Ｒｅｓｐｏｎｓｅ）から位置検索対象の端末の位置情報に加え、他の全ての接近検知対象の端末の位置情報あるいは未接近状態を取得し、接近検知対象端末管理部３３２へ応答する。
【００２５】
位置情報管理装置３０８は、位置情報サービス送受部３２８、加入者端末情報格納部３２７、加入者位置（Ｐｒｏｖｉｄｅ  Ｓｕｂｓｃｒｉｂｅｒ  Ｌｏｃａｔｉｏｎ）送受部３２６を含んでいる。
【００２６】
位置情報サービス送受部３２８は、受信された位置情報サービス要求より、特定の位置検索対象の端末に加え、他の全ての接近検知対象の端末の情報を取得し、加入者位置送受部３２６へ送信する。また、加入者位置送受部３２６からの応答より、位置検索対象の端末の位置情報に加え、他の全ての接近検知対象の端末の位置情報あるいは未接近状態を取得し、位置検索対象の携帯端末に対する位置情報サービス応答に、他の全ての接近検知対象の端末の位置情報を追加付与して送信し、あるいは未接近状態を送信する。
【００２７】
加入者端末情報格納部３２７には、加入者の端末の位置情報が登録されている。
【００２８】
加入者位置送受部３２６は、位置情報サービス送受部３２８からの要求に応じて、加入者端末情報格納部３２７から特定の位置検索対象の端末の位置情報を取り出し、取り出した位置情報に加え、他の全ての接近検知対象の端末の情報を追加付与して送信する。また、受信された加入者位置の肯定応答（Ｐｒｏｖｉｄｅ  Ｓｕｂｓｃｒｉｂｅｒ  Ｌｏｃａｔｉｏｎ  ａｃｋ）から、位置検索対象の端末の位置情報に加え、他の全ての接近検知対象の端末の位置情報あるいは未接近状態を取得し、位置情報サービス送受部３２８へ応答する。
【００２９】
交換機３０６は、加入者位置送受部３２４、在圏端末検索部３２２、在圏端末情報格納部３２１、位置決定要求・報告（Ｌｏｃａｔｉｏｎ  Ｒｅｑ．／Ｒｅｐ．）送受部３２０を含んでいる。
【００３０】
加入者位置送受部３２４は、受信された加入者位置より特定の位置検索対象の端末に加え、他の全ての接近検知対象の端末の情報を取得し、在圏端末検索部３２２へ送信する。また、在圏端末検索部３２２より正常応答を受信すると、位置検索対象の端末に加え、他の全ての接近検知対象の端末の情報を位置決定要求・報告送受部３２０へ送信する。また、在圏端末検索部３２２より異常応答を受信すると、接近検知対象の端末間は未接近と判断して、位置情報管理装置３０８の加入者位置送受部３２６へ未接近応答を加入者位置の肯定応答として送信する。また、位置決定要求・報告送受部３２０からの応答より、位置検索対象の端末の位置情報に加え、他の全ての接近検知対象の端末の位置情報を取得し、位置検索対象の携帯端末に対する加入者位置に、他の全ての接近検知対象の端末の位置情報を追加付与して送信する。
【００３１】
在圏端末情報格納部（ロケーションレジスタ）３２１には、在圏する端末の位置情報が登録されている。
【００３２】
在圏端末検索部３２２は、加入者位置送受部３２４からの要求により在圏端末情報格納部３２１に登録された情報を検索し、特定の位置検索対象の端末に加え、他の全ての接近検知対象の端末の情報が自交換機配下に在圏しているかどうかを判断し、全ての接近検知対象の端末が在圏していれば加入者位置送受部３２４へ正常応答する。一方、少なくとも１つの端末が在圏していなければ異常応答する。
【００３３】
位置決定要求・報告送受部３２０は、加入者位置送受部３２４からの要求により、ある１つの位置検索対象の端末に加え、他の全ての接近検知対象の端末それぞれに対して位置決定要求（Ｌｏｃａｔｉｏｎ  Ｒｅｑｕｅｓｔ）を送信する。また、受信した位置決定報告（Ｌｏｃａｔｉｏｎ  Ｒｅｐｏｒｔ）より全ての接近検知対象の端末の位置情報を取得し、加入者位置送受部３２４へ応答する。
【００３４】
無線装置３０４は、位置決定要求・報告送受部３１８と、位置測位制御部３１６とを含んでいる。
【００３５】
位置決定要求・報告送受部３１８は、位置決定要求より位置検索対象の端末の情報を検出して位置測位制御部３１６へ送信する。また、位置測位制御部３１６からの応答より、位置検索対象端末の位置情報を位置決定報告として送信する。
【００３６】
位置測位制御部３１６は、位置決定要求・報告送受部３１８からの要求により、携帯端末３０２の位置測位制御部３１４及び位置測位部３１２と連携して位置検索対象の端末の位置測位を実施し、位置測位結果を位置決定要求・報告送受部３１８へ応答する。
【００３７】
携帯端末３１４は、位置測位部３１２、及び無線装置３０４の位置測位制御部３１６と連携して位置測位部３１２を制御することで位置測位を実施する位置測位制御部３１４により構成される。
【００３８】
次に図３および４を参照し、本実施形態に係る接近検知方法における処理の流れを説明する。
【００３９】
図３において、接近検知を行う携帯端末を仮にＡ，Ｂ，Ｃとした場合、ユーザは検索者側装置３１０の接近検知対象端末管理部３３２に接近検知対象の端末の情報として携帯端末Ａ，Ｂ，Ｃの情報を登録する（４０２）。
【００４０】
検索者側装置３１０の接近検知対象端末管理部３３２は、定期的（例えば５分、１０分、１５分毎）に自装置の位置情報サービス送受部３３０へ登録された接近検知対象の端末の情報として携帯端末Ａ，Ｂ，Ｃの情報を全て通知する（４０４）。
【００４１】
検索者側装置３１０の位置情報サービス送受部３３０は、接近検知対象端末管理部３３２より接近検知対象の端末の情報として携帯端末Ａ，Ｂ，Ｃの情報を受信すると、携帯端末Ａに対する位置情報サービス要求（ＬＣＳ  Ｓｅｒｖｉｃｅ  Ｒｅｑｕｅｓｔ）に携帯端末Ｂ，Ｃの情報を追加付与して位置情報管理装置３０８の位置情報サービス送受部３２８へ送信する（４０８）。
【００４２】
位置情報管理装置３０８の位置情報サービス送受部３２８は、検索者側装置３１０の位置情報サービス送受部３３０より携帯端末Ｂ，Ｃの情報が付与された携帯端末Ａに対する位置情報サービス要求を受信すると、自装置の加入者位置送受部３２６へ、接近検知対象の端末の情報として携帯端末Ａ，Ｂ，Ｃの情報を全て通知する（４１０）。
【００４３】
位置情報管理装置３０８の加入者位置送受部３２６は、位置情報サービス送受部３２８より接近検知対象の端末の情報として携帯端末Ａ，Ｂ，Ｃの情報を受信すると、加入者端末情報格納部３２７から携帯端末Ａの位置情報を取り出す。そして、取り出された携帯端末Ａに対する加入者位置（Ｐｒｏｖｉｄｅ  Ｓｕｂｓｃｒｉｂｅｒ  Ｌｏｃａｔｉｏｎ）に、携帯端末Ｂ，Ｃの情報を追加付与して交換機３０６の加入者位置送受部３２４へ送信する（４１２）。
【００４４】
交換機３０６の加入者位置送受部３２４は、位置情報管理装置３０８の加入者位置送受部３２６より携帯端末Ｂ，Ｃの情報の付与された携帯端末Ａに対する加入者位置を受信すると、自装置の在圏端末検索部３２２へ接近検知対象の端末の情報として携帯端末Ａ，Ｂ，Ｃの情報を全て通知する（４１４）。
【００４５】
交換機３０６の在圏端末検索部３２２は加入者位置送受部３２４より接近検知対象の端末の情報として携帯端末Ａ，Ｂ，Ｃの情報を受信すると、在圏端末情報格納部３２１を検索し、携帯端末Ａ，Ｂ，Ｃ全てが自交換機配下に在圏しているかどうかを判断する（４１５）。全てが在圏していれば、加入者位置送受部３２４に正常応答を返す（４１６）。なお、携帯端末Ａ，Ｂ，Ｃ全てが自交換機配下に在圏していない場合の流れは、図５を参照して後述する。
【００４６】
交換機３０６の加入者位置送受部３２４は、在圏端末検索部３２２より正常応答を受信すると、自装置の位置決定要求・報告送受部３２０へ、接近検知対象の端末の情報として携帯端末Ａ，Ｂ，Ｃの情報を全て通知する（４１８）。
【００４７】
交換機３０６の位置決定要求・報告送受部３２０は、加入者位置送受部３２４より接近検知対象の端末の情報として携帯端末Ａ，Ｂ，Ｃの情報を受信すると、携帯端末Ａ，Ｂ，Ｃのそれぞれに対する位置決定要求（Ｌｏｃａｔｉｏｎ  Ｒｅｑｕｅｓｔ）を無線装置３０４の位置決定要求・報告送受部３１８へ送信する（４２０）。
【００４８】
無線装置３０４の位置決定要求・報告送受部３１８は、交換機３０６の位置決定要求・報告送受部３２０より位置決定要求を受信すると、位置検索対象の端末の情報を自装置の位置測位制御部３１６へ通知する（４２２）。
【００４９】
続いて、図４を参照すると、無線装置３０４の位置測位制御部３１６は、位置決定要求・報告送受部３１８より位置検索対象の携帯端末の情報を受信すると、携帯端末３０２の位置測位制御部３１４及び位置測位部３１２と連携して、位置検索対象の端末の位置測位を実施する（４２４）。そして、位置測位結果を自装置の位置決定要求・報告送受部３１８へ応答する（４２６）。
【００５０】
無線装置３０４の位置決定要求・報告送受部３１８は、位置測位制御部３１６より位置検索対象の端末の位置情報を受信すると、位置決定報告（Ｌｏｃａｔｉｏｎ  Ｒｅｐｏｒｔ）として交換機３０６の位置決定要求・報告送受部３２０へ応答する（４２８）。
【００５１】
交換機３０６の位置決定要求・報告送受部３２０は、無線装置３０４の位置決定要求・報告送受部３１８より接近検知対象の携帯端末Ａ，Ｂ，Ｃ全てに対する位置決定報告を受信すると、接近検知対象の携帯端末Ａ，Ｂ，Ｃの位置情報を加入者位置送受部３２４へ応答する（４３０）。
【００５２】
交換機３０６の加入者位置送受部３２４は、位置決定要求・報告送受部３２０より接近検知対象の携帯端末Ａ，Ｂ，Ｃの位置情報を受信すると、携帯端末Ａに対する加入者位置の肯定応答（Ｐｒｏｖｉｄｅ  Ｓｕｂｓｃｒｉｂｅｒ  Ｌｏｃａｔｉｏｎ  ａｃｋ）に携帯端末Ａの位置情報を含めると共に、携帯端末Ｂ，Ｃの位置情報を追加付与して位置情報管理装置３０８の加入者位置送受部３２６へ応答する（４３２）。
【００５３】
位置情報管理装置３０８の加入者位置送受部３２６は、交換機３０６の加入者位置送受部３２４より携帯端末Ｂ，Ｃの情報が付与された携帯端末Ａに対する加入者位置の肯定応答を受信すると、接近検知対象の携帯端末Ａ，Ｂ，Ｃの位置情報を位置情報サービス送受部３２８へ応答する（４３４）。
【００５４】
位置情報管理装置３０８の位置情報サービス送受部３２８は、加入者位置送受部３２６より接近検知対象の携帯端末Ａ，Ｂ，Ｃの位置情報を受信すると、携帯端末Ａに対する位置情報サービス報告（ＬＣＳ  Ｓｅｒｖｉｃｅ  Ｒｅｐｏｒｔ）に携帯端末Ｂ，Ｃの位置情報を追加付与して、検索者側装置３１０の位置情報サービス送受部３３０へ応答する（４３６）。
【００５５】
検索者側装置３１０の位置情報サービス送受部３３０は、位置情報管理装置３０８の位置情報サービス送受部３２８より携帯端末Ｂ，Ｃの位置情報が付与された携帯端末Ａに対する位置情報サービス報告を受信すると、接近検知対象の携帯端末Ａ，Ｂ，Ｃの位置情報を接近検知対象端末管理部３３２へ応答する（４３８）。
【００５６】
検索者側装置３１０の接近検知対象端末管理部３３２は、位置情報サービス送受部３３０から受信された接近検知対象の携帯端末Ａ，Ｂ，Ｃの位置情報より、接近状態を確認する（４４０）。そして、携帯端末Ａ，Ｂ，Ｃ間の距離がある一定の距離以内であれば、鳴動または画像出力等により接近検知をユーザに通知する（４４２）。
【００５７】
図５は、本発明の別の実施形態に係る接近検知方法における処理の流れを示すシーケンス図である。
【００５８】
符号５０２から符号５１４で示される流れは、図３の符号４０２から符号４１４で示される流れと同様である。
【００５９】
交換機３０６の在圏端末検索部３２２にて、携帯端末Ａ，Ｂ，Ｃ全てが自交換機配下に在圏しているかどうかを検索する（５１５）。そして、全てが在圏していない場合、在圏端末検索部３２２は自装置の加入者位置送受部３２４に異常応答を返す（５１６）。
【００６０】
交換機３０６の加入者位置送受部３２４は、在圏端末検索部３２２より異常応答を受信すると、端末の未接近を示すＮＧ応答を携帯端末Ａに対する加入者位置の肯定応答に含めて、位置情報管理装置３０８の加入者位置送受部３２６へ送信する（５１８）。
【００６１】
位置情報管理装置３０８の加入者位置送受部３２６は、交換機３０８の加入者位置送受部３２４より端末の未接近を示す加入者位置の肯定応答を受信すると、自装置の位置情報サービス送受部３２８へ未接近応答を送信する（５２０）。
【００６２】
位置情報管理装置３０８の位置情報サービス送受部３２８は、加入者位置送受部３２６より未接近応答を受信すると、端末の未接近を示すＮＧ応答を携帯端末Ａに対する位置情報サービス応答に含めて、検索者側装置３１０の位置情報サービス送受部３３０へ送信する（５２２）。
【００６３】
検索者側装置３１０の位置情報サービス送受部３３０は、位置情報管理装置３０８の位置情報サービス送受部３２８より端末の未接近を示す位置情報サービス応答を受信すると、接近検知対象端末管理部３３２へ未接近応答を送信する（５２４）。
【００６４】
検索者側装置３１０の接近検知対象管理部３３２は、位置情報サービス送受部３３０より未接近応答を受信すると、接近検知対象の端末間は未接近と判定し、鳴動または画像出力等により端末の未接近をユーザに通知する。そして、定期的に実施される次回の接近状態確認要求に備える（５２６）。
【００６５】
以上述べた形態以外にも種々の変形が可能である。しかしながら、特許請求の範囲に記載された技術思想に基づくものである限り、その変形は本発明の技術範囲内となる。
【図面の簡単な説明】
【００６６】
【図１】モバイルネットワークにおける３ＧＰＰ及びＯＭＡ標準の携帯端末位置情報検索方式（３ＧＰＰ  ＴＳ２３．２７１  ＭＴ-ＬＲ）のシーケンス図である。
【図２】本発明の一実施形態に係る移動通信システムの構成例を示すブロック図である。
【図３】本発明の一実施形態に係る接近検知時における接近検知の流れを示すシーケンス図である。
【図４】本発明の一実施形態に係る接近検知時における接近検知の流れを示すシーケンス図である。
【図５】本発明の一実施形態に係る未接近判断時における接近検知の流れを示すシーケンス図である。
【符号の説明】
【００６７】
３０２  携帯端末
３０４  無線装置
３０６  交換機
３０８  位置情報管理装置
３１０  検索者側装置
３１２  位置測位部
３１４、３１６  位置測位制御部
３１８、３２０  位置決定要求・報告送受部
３２２  在圏端末検索部
３２４、３２６  加入者位置送受部
３２８、３３０  位置情報サービス送受部
３３２  接近検知対象端末管理部 
【図１】
2009218814.tif 000003
【図２】
2009218814.tif 000004
【図３】
2009218814.tif 000005
【図４】
2009218814.tif 000006
【図５】
2009218814.tif 000007